【手続補正書】
【提出日】平成15年12月19日(2003.12.19)
【手続補正１】
【補正対象書類名】明細書
【補正対象項目名】００２７
【補正方法】変更
【補正の内容】
【００２７】
次に図１に戻つてデスク端末１８は、マスタ室からゲートウエイ４０を介して送出されるニユース番組開始、終了時刻などといつた番組データを基に番組構成表を作成する。


【手続補正２】
【補正対象書類名】明細書
【補正対象項目名】００５１
【補正方法】変更
【補正の内容】
【００５１】
送出機器制御部５は、この他にも報道部ＨＢのスタジオ内においてアナウンサ等を撮影するためのカメラ３８も機器制御部３２によつて制御するようになされている。この場合、カメラ３８によつて撮影された映像素材ＳＶ３はスイツチヤ／ミキサ３０を介してマスタ室４へ送出される。


【手続補正３】
【補正対象書類名】明細書
【補正対象項目名】０２５４
【補正方法】変更
【補正の内容】
【０２５４】
例えば図３７において18時24分45秒からオーデイオフアイル（ＡＦ）を15秒間送出する場合は、ポツプアツプ１６２にて開始時刻と送出する素材を入力する。ステツプＳＰ８７において入力された開始時刻、送出する映像及び音声素材をポツプアツプ１６２内にそれぞれ表示すると、サブ内入力端末３４はステツプＳＰ８６に戻つて上述の手順を繰り返す。


【手続補正４】
【補正対象書類名】明細書
【補正対象項目名】０３７９
【補正方法】変更
【補正の内容】
【０３７９】
図５５に示すように、記者端末１５が報道部員（記者）によつて立ち上げられるとモニタ画面上に初期設定画面２２０を表示し、当該初期設定画面２２０の上部に表示した勤務表ボタン２２１、取材予定ボタン２２２、取材スタツフボタン２２３、原稿ボタン２２４〜事前設定ボタン２２８でなる各種メニユーボタンの中から原稿ボタン２２４が報道部員によつて選択されると、メニユーボタンの下部に原稿一覧２３０を表示する。


【手続補正５】
【補正対象書類名】明細書
【補正対象項目名】０４３４
【補正方法】変更
【補正の内容】
【０４３４】
この収録画面２７０は、最上部に画面上で操作し得る画面操作子群を有し、当該画面操作子群として収録ボタン２７１、送出ボタン２７２、一本化ボタン２７３、素材管理ボタン２７４、事前設定ボタン２７５からなる各種メニユーボタンを有し、当該各種メニユーボタンの中から収録ボタン２７１が報道部員によつてクリツクされると収録する番組の各項目における情報（項目名、素材名、ＯＡ尺、進捗状況及びＩＤナンバ等）を一覧表として表示するようになされている。


【手続補正６】
【補正対象書類名】明細書
【補正対象項目名】０５２３
【補正方法】変更
【補正の内容】
【０５２３】
（１４−２）オンエアサーバ管理端末における収録操作
オンエアサーバ管理端末２５によつて収録操作を行う場合、図６０に示すように、オンエア管理端末２５は立上げられるとオンエアサーバ管理端末２５のモニタの表示画面に収録画面２７０を表示する。この収録画面２７０は画面上で操作し得る画面操作子群を有し、当該操作子として最上部に収録ボタン２７１、送出ボタン２７２、一本化ボタン２７３、素材管理ボタン２７４、事前設定ボタン２７５からなる各種メニユーボタンを有する。ここで報道部員がマウスを用いて当該各種メニユーボタンの中から収録ボタン２７１をクリツクすると、端末本体は収録する番組の各項目における情報（項目名、素材名及び進捗状況等）を一覧表としてオンエアサーバ管理端末２５のモニタの表示画面に表示する。


【手続補正７】
【補正対象書類名】明細書
【補正対象項目名】０５６３
【補正方法】変更
【補正の内容】
【０５６３】
（１４−４）オンエアサーバ管理端末における送出操作
オンエアサーバ管理端末２５によつて収録操作を行う場合、図７０に示すように、オンエア管理端末２５は立上げられるとオンエアサーバ管理端末２５のモニタの表示画面に送出画面３３０を表示する。この送出画面３３０は画面上で操作し得る画面操作子群を有し、当該画面操作子として最上部に送出ボタン３３１、送出ボタン３３２、一本化ボタン３３３、素材管理ボタン３３４、事前設定ボタン３３５からなる各種メニユーボタンを有する。ここで報道部員がマウスを用いて当該各種メニユーボタンの中から送出ボタン３３４をクリツクすると、端末本体は送出する番組の各項目における情報（項目名、素材名及び進捗状況等）を一覧表としてオンエアサーバ管理端末２５のモニタ３２１（図６７（Ｂ））の表示画面に表示する。


【手続補正８】
【補正対象書類名】明細書
【補正対象項目名】０５６５
【補正方法】変更
【補正の内容】
【０５６５】
この状態で報道部員によつてローカル送出ボタン３４２がクリツクされると、図７１に示すようにオンエアサーバ管理端末２５は送出画面３３０上に重ねてローカル送出リスト画面３６０を表示する。このローカル送出リスト画面３６０は画面上で操作し得る画面操作子群を有し、当該画面操作子として最上部に起動ボタン３６１、終了ボタン３６２等からなるメニユーボタンを有する。ここで報道部員がマウスを用いて当該各種メニユーボタンの中から収録ボタンをクリツクすると、端末本体は送出する番組の各項目における情報（素材名、ＯＡ尺及びＩＤナンバ等）を送出欄３６３に表示する。


【手続補正９】
【補正対象書類名】明細書
【補正対象項目名】０６２５
【補正方法】変更
【補正の内容】
【０６２５】
（１４−８）他の実施例における素材送り送出操作
オンエアサーバ管理端末２５によつて素材送り操作を行う場合、図７０、図７５（Ａ）に示すように、オンエアサーバ管理端末２５は、送出画面３３０は画面上で操作し得る画面操作子群を有し、当該画面操作子として最上部に各種のメニユーボタンを有する。ここで報道部員がマウスを用いて当該メニユーボタンのうち素材送りボタン３４２Ａをクリツクすると、オンエアサーバ管理端末２５は送出画面３３０上に重ねて、他の放送局にニユース素材を送出するための素材送り送出リスト画面４００を表示する。


【手続補正１０】
【補正対象書類名】明細書
【補正対象項目名】０６２６
【補正方法】変更
【補正の内容】
【０６２６】
この素材送り送出リスト画面４００は画面上で操作し得る画面操作子群を有し、当該画面操作子として最上部に起動ボタン４０１、終了ボタン４０２等からなるメニユーボタンを有する。ここでオンエアサーバ管理端末２５は素材送りする番組の各項目における情報（送り先、素材名、ＯＡ尺及びＩＤナンバ等）を素材送り欄４０３に表示する。


【手続補正１１】
【補正対象書類名】明細書
【補正対象項目名】符号の説明
【補正方法】変更
【補正の内容】
【符号の説明】
１……ニユース番組制作送出装置、２……ニユース番組制作支援部、３……ニユース素材作成管理部、４……マスタ室、５……送出機器制御部、６……支社／支局／クラブ端末、７……ＤＢサーバ、８……ＬＡＮ、９……オンエアサーバコントローラ端末、１０……勤務予定入力端末、１１……取材管理端末、１１Ａ……機材予定端末、１１Ｂ……取材予定端末、１１Ｃ……取材スタツフ端末、１２……ルータ、１３……専用回線、１４……ＴＡ、１５……記者端末、１６……公衆回線、１８……デスク端末、１８Ａ１〜１８Ａｎ……ワークステーシヨン、２０……リニア編集機、２１、２１Ａ、２Ｂ……ＶＴＲ、２２……オンエアサーバ部、２２Ａ……オンエアサーバ、２２Ｂ……第１のクレジツト書込装置、２２Ｃ……第２のクレジツト書込装置、２３……サーバ制御端末、２４……機器制御部、２５……オンエアサーバ管理端末、２６……ノンリニア編集機、３０……スイツチヤ／ミキサ、３１……送出機器制御端末、３２……機器制御部、３３……クロツク、３４……サブ内入力端末、３５……ＶＴＲ、３６……ＣＧ編集部、３７……送出機、３８……カメラ、３９……キユーシート端末、４０……ゲートウエイ、５１……制作部、５２……ＣＭバンク、５３……番組バンク、５５……トリガ、５６……ＣＭ送出装置、６０……番組表、６０Ａ……編集用の画面、６０Ｂ……表示部、６１、５０３……番組名欄、６２……番組開始時刻欄、６３……番組終了時刻欄、６４……放送時間欄、６５……番組番号欄、６６……運行モード欄、６７……デスク欄、６８……ローカル／ネツト欄、６９……「状況」欄、７０……ＣＧ欄、７１……「完パケ」欄、７２……設定ボタン、８０Ａ、８０Ｂ……メニユーバー、８１……勤務表選択ボタン、８２……取材予定表ボタン、８３……取材スタツフボタン、８４……原稿ボタン、８５……番組作成ボタン、８６……検索ボタン、８７……番組登録ボタン、８８……事前設定ボタン、９０……フアンクシヨンキーボタン、９１、９２……メツセージ欄、９５、１４５、１５５、４３８、４５４……番組構成表、９５Ａ……画面、９５Ｂ……表示部、９６……項目名欄、９７……項目番号欄、９７Ａ……「アンタイムＣＭ」、９７Ｂ……「ＣＭキユーカツト」、９８……「開始時刻／時間」欄、９９、９９Ｂ……構成時間欄、１００、４６０Ａ……映像欄、１０１……「Ｋｅｙ」欄、１０２……効果欄、１０３……音声欄、１０４……ＭＩＸ欄、１０５……スーパー欄、１０６、１５９……確定時刻告知欄、１０７……設定ボタン、１０７Ａ……取材項目ボタン、１０７Ｂ……ＣＭ−Ｑ指定ボタン、１０８……フアンクシヨンキーボタン、１１０……取材項目ポツプアツプ、１１０Ａ……「１．春便りマザー牧場」、１１１……構成パターンポツプアツプ、１１１Ａ……「３．カメラ＋ＮＶ」、１１２Ｂ……「３．春便りマザー牧場」、１１２Ｃ……「３．ＣＭキユーカツト」、１１２Ｄ……「４．ＣＭキユーカツト」、１１５……キユーシート画面、１２０……ＣＭ−Ｑポツプアツプ、１２１Ａ〜１２１Ｄ……時間設定ボタン、１２２……指定ボタン、１２３……解除ボタン、１２４、３０２、３１３……取消ボタン、１２６Ａ……「構成２」、１２６Ｂ……「構成１」、１２６Ｃ……「アンタイムＣＭ」、１３０……確定枠帯、１３０Ａ〜１３０Ｄ……確定枠帯、１３１……残時間ボタン、１３２……確定枠ポツプアツプ、１３３Ａ……「確定ＮＥＴ」、１３３Ｂ……「項目１」、１３３Ｃ……「項目２」、１３３Ｄ……「確定ＣＭ」、１３４……確定枠番組、１３５……確定枠欄、１３６……残時間欄、１４０Ａ……「ヘツドライン１」、１４１……ロツクボタン、１４６……確定ＤＵＲボタン、１４７……ポツプアツプ、１４８……指定ボタン、１４９……解除ボタン、１５０……取消ボタン、１５１……時間表示窓、１５２……時間調節ボタン、１５７……確定スタート記号、１５８、４６０……キユーシート、１５９……確定時刻告知欄、１６０……記号（ここでは矩形及びダイヤモンド形枠付き数字）、１６１……確定スタートボタン、１６２……設定用ポツプアツプ、１６３、４５２、４６３……閉ボタン、６６〜１７０、１７５及び１７６……素材マーク、１７１、１７２……矩形赤枠、１７３……ＮＥＸＴ指定ボタン、１７４……削除ボタン、１７７……項目一覧表、１７８、１７９……スクロールボタン、１８０……最後へボタン、１８１……入れ替えボタン、１８２、５１８……移動ボタン、１８３、５１９……アンドウボタン、１８８Ａ……番組「夕方のニユース」、１８９……リハーサル指定ボタン、１９０……リハーサル指定ボタン、１９２……リハーサルポツプアツプ、１９３……項目番号欄、１９４……開始時刻欄、１９６、３０１、３１２、５３５、５４１、５４６、５５３……実行ボタン、１９７……中止ボタン、２２０……初期設定画面、２２１……勤務表ボタン、２２２……取材予定ボタン、２２３……取材スタツフボタン、２２４……原稿ボタン、２２８……事前設定ボタン、２３０……原稿一覧、２３１……取材原稿一覧、２３１Ａ……項目欄、２３２……オンエア原稿一覧、２３４……「取材項目／タイトル」、２３５……「読み時間」、２３６……「取材原稿ＩＤ」、２３７……「項目No./オンエア項目」、２３８……「項目時間」、２３９……「読み時間」、２４０……「ＯＡ原稿ＩＤ」、２４５……原稿作成画面、２４６、２４７、２４８、２４９、２５０、３０３……表示欄、、２５１……原稿入力枠、２５１Ａ……「Ｆ１」キー、２５１Ｂ……「Ｆ２」キー、２５１Ｃ……「Ｆ４」キー、２５１Ｄ……「Ｆ５」キー、２５１Ｅ……「Ｆ７」キー、２５１Ｆ……「Ｆ８」キー、２５２……素材マーク入力欄、２５３……ポツプアツプ、２５４……構成ナンバ、２５５……構成時間、２５６、２５７……素材マーク、２５８……原稿入力欄、２５９……メツセージ欄、２６０……素材マーク入力欄、２６１……原稿入力欄、２６３……文字数欄、２６４……読み時間欄、２６５……登録ボタン、２６６……印刷ボタン、２６７……横指定ボタン、２６８……ルビボタン、２６９……全体情報ボタン、２７０……収録画面、２７０Ｍ、３０８、５２０、……メツセージ欄、２７１……収録ボタン、２７２……送出ボタン、２７３、４９６……一本化ボタン、２７４……素材管理ボタン、２７５……事前設定ボタン、２７６……番組表示部、２７７……送出予定日時表示部、２７８……番組素材ボタン、２７９、４４８、４４８Ａ、４５７、４５７Ａ、５２２……プー��素材ボタン、２８０……汎用素材ボタン、２８１、４３１、４９７……ニユースビデオ素材表示部、２８２、４８７、４９８……「項目No. ／項目名」欄、２８３、４８８、４９９……「構成No. ／素材名」欄、２８４、５００……「ＯＡ尺」欄、２８５……「画」欄、２８６、５０１……「収録尺」欄、２８７……「進捗」欄、２８８……「区分」欄、２８９……「一本化」欄、２９０……「ＩＤナンバ」欄、２９１……収録ボタン、２９２……ステータス表示部、２９３〜２９９……ステータス表示、３００……供給元選択ポツプアツプ、３０４……タイムコード欄、３０５、４３７……ＯＡ尺欄、３０６、４３６……素材名欄、３０７……スタンプ画枠、３０９……ストツプボタン、３１０……エンドボタン、３１１……収録中止ポツプアツプ、３２１……モニタ、３２７……表示欄、３２５……タイトル表示欄、３２３……タイムコード欄、３２４……ＯＡ尺欄、３２６……スタンプ画、３２８……ストツプボタン、３３０……送出画面、３３０Ａ……メツセージ欄、３３１……収録ボタン、３３２……送出ボタン、３３３……一本化ボタン、３３４……素材管理ボタン、３３５……事前設定ボタン、３３６……番組ボタン、３４１……項目表示欄、３４１Ｄ……「画」表示欄、３４１Ｆ……「進捗」表示欄、３４２……ローカル送出ボタン、３４３〜３４９……ステータス画面、３６０……ローカル送出リスト画面、３６１……起動ボタン、３６２……終了ボタン、３６３……送出欄、３６３Ａ……「ナンバ」表示欄、３６３Ｂ……「送出先」表示欄、３６３Ｃ……「素材名」表示欄、３６３Ｄ……「ＯＡ尺」表示欄、３６４Ｅ……「ＩＤナンバ」表示欄、３７０……送出先選択ポツプアツプ、３８５……タイムコード欄、３８６……ＯＡ尺欄、３８７……タイトル表示欄、３８８……スタンプ画枠、３８９……メツセージ欄、３９０……プレイ（ＰＬＡＹ）ボタン、３９１……ストツプ（ＳＴＯＰ）ボタン、３９２……エンド（ＥＮＤ）ボタン、４００……素材送り送出リスト画面、４０１……起動ボタン、４０２……終了ボタン、４０３……素材送り表示欄、４０３Ａ……「ナンバ」表示欄、４０３Ｂ……「送出先」表示欄、４０３Ｃ……「素材名」表示欄、４０３Ｄ……「ＯＡ尺」表示欄、４０３Ｅ……「ＩＤナンバ」表示欄、４１０……素材送り先一覧表、４１１……送り先覧、４３０……セレクタ、４３２……入力ボタン、４３５……プール素材入力ポツプアツプ、４３８Ａ、４５４Ａ……番組登録画面、４３９、４８１……ＮＶ素材ボタン、４４０……素材選択ポツプアツプ、４４１、４５５……プールボタン、４４２……汎用ボタン、４４３……オンエア素材ボタン、４４４……昨日ボタン、４４５……今日ボタン、４４６……放送日指定部、４４９、４５６……プール素材一覧ポツプアツプ、４５０、４６２……後追加ボタン、４５１、４６１……前挿入ボタン、４５７Ｂ……「土曜の丑」、４５８……プール一覧表、４５９……スクロール操作部、４８０……没予備項目ボタン、４８２……素材一覧ボタン、４８３……選択ポツプアツプ、４８４……ＮＶボタン、４８５……素材一覧ポツプアツプ、４８９……「ＬＩＢ」欄、４９０……素材一覧表、４９５……一本化リスト作成編集画面、５０２……「番組名」欄、５０４……送出日時欄、５０５……一本化リスト表示部、５０６……一本化リスト名欄、５０７……送出日欄、５０８……識別情報欄、５０９……素材数欄、５１１、５１２、５１３……スクロール操作部、５１５……削除ボタン、５１６……挿入ボタン、５１７……追加ボタン、５２３……汎用素材ボタン、５２５、５２６……登録ボタン、５３０……リスト作成ボタン、５３２……リスト作成ポツプアツプ、５３３……名称入力欄、５３４……識別情報入力欄、５３６、５４２、５４７……取消しボタン、５４０……一本化実施ポツプアツプ、５４５……印刷実行ポツプアツプ、５５０……一本化リスト一覧ポツプアツプ、５５１……一本化番組リスト欄、５５２……一本化新規リスト欄、Ｄ１……収録指示データ、Ｄ２……送出指示データ、Ｄ３……素材送りデータ、Ｃ１……キユーシートの番組データ、ＳＭ１……ＶＴＲ制御信号、ＳＭ２……第１のクレジツト書込装置制御信号、ＳＭ３……オンエアサーバ制御信号、ＳＭ４……オンエアサーバ制御信号、ＳＭ５……第２のクレジツト書込装置制御信号、ＳＭ６……オンエアサーバ制御信号、ＳＭ７……第２のクレジツト書込装置制御信号、ＳＶ０……映像／音声データ、ＳＶ２……映像／音声データ、Ｐ１、Ｐ２、Ｐ３……文字データ、ＳＶ１、ＳＶ２、ＳＶ４……映像／音声データ、ＤＳ２……機器制御データ、ＣＬ１……第１のクレジツトデータ、ＣＬ２……第２のクレジツトデータ、ＣＬ３……第３のクレジツトデータ、ＳＳ１……操作信号、ＳＧ１……制御信号、Ｒ１〜Ｒ４……回線。


【手続補正１２】
【補正対象書類名】図面
【補正対象項目名】図１１
【補正方法】変更
【補正の内容】
【図１１】
1998276150.tif 000001
【手続補正１３】
【補正対象書類名】図面
【補正対象項目名】図５８
【補正方法】変更
【補正の内容】
【図５８】
1998276150.tif 000002